(57)【要約】
【課題】　ポンチヘッド交換が容易で、ポンチヘッドが締めやすく、にねじの不適切な外力による変形を防止可能なポンチペンチの快速取り外し構造を提供する。
【解決手段】　ポンチペンチには一対の相対して開閉可能なペンチ柄２１、ペンチ柄２２及び最少二つのポンチヘッド３０１、ポンチヘッド３０２や、ポンチヘッド３０３、ポンチヘッド３０４を備える。ポンチペンチには二つの快速取り外し構造が設けられている。快速取り外し構造は、弾性スナップ４０、スナップ孔５０、ポンチヘッド孔、ポンチヘッドに設けられてある固定部３２からなる。快速取り外し構造は弾性スナップ４０があり、それは一体に折り曲げられた固定部４１、嵌付部４２及び制御部４３のある細い線である。弾性スナップ４０は固定部４１をもってペンチ先端の裏面に固定され、ポンチヘッドはポンチヘッド孔６０を通し、かつ嵌付部４２によって固定される。
【選択図】　　図３Ａ
0003100225.tif 000002
【実用新案登録請求の範囲】
【請求項１】
　迅速にポンチヘッドの交換が可能なポンチペンチの快速取り外し構造であって、一対の相対して開閉可能なペンチ柄（２１）、ペンチ柄（２２）及び最少二つのポンチヘッド（３０１）、ポンチヘッド（３０２）や、ポンチヘッド（３０３）、ポンチヘッド（３０４）を備え、二つの快速取り外し構造が設けられ、
　各快速取り外し構造は、弾性スナップ（４０）、スナップ孔（５０）、ポンチヘッド孔、ポンチヘッドに設けられてある固定部（３２）からなり、
　弾性スナップ（４０）は、一体に折り曲げられた細い線であり、折り曲げ部の近くには細線が互いに平行する固定部（４１）が形成され、固定部（４１）から延続して細線は逆に外へ拡張した嵌付部（４２）を有し、その嵌付部（４２）から延続して垂直に延伸する制御部（４３）が設けられ、
　スナップ孔（５０）は、ペンチの先端部に設けられ、弾性スナップ（４０）はそれの固定部（４１）をもって固定部材（４４）をスナップ孔（５０）に通し、ペンチ先端の裏面での固定に供され、
　ポンチヘッド孔は、ペンチの先端部の弾性スナップ（４０）の嵌付部（４２）と対応する位置に設けられ、
　ポンチヘッドに設けられている固定部（３２）にはスナップ溝（３４）が設けられ、開放端の周縁は斜面状のにげ（３４１）であり、固定部（３２）の径は加工部（３１）より小さく境界にはストッパー面（３３）が形成されていることを特徴とするポンチヘッドの交換が可能なポンチペンチの快速取り外し構造。
【請求項２】
　制御部（４３）の細線は平行状に現れ、かつ円頭状に曲げられた末端（４３１）を有し、その末端はペンチ先端部の開放辺縁に延伸し、かつ先端部から突き出していることを特徴とする請求項１記載のポンチヘッドの交換が可能なポンチペンチの快速取り外し構造。
【請求項３】
　制御部（４３'）の細線は交差状に現れ、かつ円頭状に曲げられた末端（４３１）を有し、その末端はペンチ先端部の開放辺縁に延伸し、かつ先端部から突き出していることを特徴とする請求項１記載のポンチヘッドの交換が可能なポンチペンチの快速取り外し構造。
【考案の詳細な説明】
【技術分野】
【０００１】
　本考案はポンチペンチに関し、特に快速取り外し構造を有するポンチペンに関する。
【背景技術】
【０００２】
　図１、図２に示すように、伝統的ポンチペンチの構造は相対して開閉することができるペンチが含まれ、それの先端部は包囲式で補強塊が溶接され、補強塊にはねじ孔が開けられている。孔打ちヘッド、受け板、止め打ち塊、止め打ちホルダー等はすべて独立した部材であり（次の説明書では統一してポンチヘッドと称す）、かつねじが設けられ、補強塊にねじ付けられて使用される。
【考案の開示】
【考案が解決しようとする課題】
【０００３】
　しかしながら、孔打ちヘッドは受け板と合わして孔開けの機能を発揮し、止め打ち塊は止め打ちホルダーと合わせて孔の中に止めを固定する。ねじ孔及びねじの設置はポンチペンチの加工製造をより面倒にしてしまい、かつポンチヘッドを交換する場合は繰り返しポンチヘッドを廻さなければならなく、時間を費やし面倒である。かつ両先端部の距離が近いので、素手で廻したほうが適当になるが、ポンチヘッドを確実に締め付けないと、ポンチ打ちまたは止め打ち時にポンチヘッドは不安定な状態になって加工の瑕疵になりやすく、更にねじは不適当な外力を受けて変形しやすく、ポンチヘッドの交換及び固定を影響してしまう。
【０００４】
　したがって本考案の目的は、ポンチヘッド交換が容易で、ポンチヘッドが締めやすく、にねじの不適切な外力による変形を防止可能なポンチペンチの快速取り外し構造を提供することにある。
【課題を解決するための手段】
【０００５】
　上述の目的を達成するために本考案の請求項に記載の迅速にポンチヘッドの交換が可能なポンチペンチの快速取り外し構造は、ポンチペンチには一対の相対して開閉可能なペンチ柄２１、ペンチ柄２２及び最少二つのポンチヘッド３０１、ポンチヘッド３０２や、ポンチヘッド３０３、ポンチヘッド３０４を備える。ポンチペンチには二つの快速取り外し構造が設けられている。
【０００６】
　各快速取り外し構造は、弾性スナップ４０、スナップ孔５０、ポンチヘッド孔、ポンチヘッドに設けられてある固定部３２からなる。
　弾性スナップ４０は、一体に折り曲げられた細い線であり、折り曲げ部の近くには細線が互いに平行する固定部４１が形成され、固定部４１から延続して細線は逆に外へ拡張した嵌付部４２を有し、その嵌付部４２から延続して垂直に延伸する制御部４３が設けられている。
【０００７】
　スナップ孔５０は、ペンチの先端部に設けられ、弾性スナップ４０はそれの固定部４１をもって固定部材４４をスナップ孔５０に通し、ペンチ先端の裏面での固定に供される。
　ポンチヘッド孔は、ペンチの先端部の弾性スナップ４０の嵌付部４２と対応する位置に設けられる。
【０００８】
　ポンチヘッドに設けられている固定部３２にはスナップ溝３４が設けられ、開放端の周縁は斜面状のにげ３４１である。固定部３２の径は加工部３１より小さく境界にはストッパー面３３が形成されている。
【０００９】
　（作用）
　本考案は快速取り外し構造を利用してポンチペンチのポンチヘッド交換はより簡単、迅速になる。ポンチヘッドは弾性スナップに固定され、ペンチが相対して開閉し、ポンチ打ちまたは止め打ちを行った場合、ポンチヘッドのストッパー部は確実にペンチ先端部の壁面に当て付けて安定した支持が得られ、ポンチヘッドは安定してポンチ打ちまたは止め打ちの動作を行うことができ、瑕疵または失敗するチャンスは大幅に減少される。
【考案を実施するための最良の形態】
【００１０】
以下、本考案の実施例を図面に基づいて説明する。
　本考案は迅速にポンチヘッドの交換ができるポンチペンチの快速取り外し構造に関する。その実施例によるポンチペンチは、一対のペンチ柄２１、ペンチ柄２２を交差して枢軸２３によって枢接し、その枢軸２３にはねじりばね２４が設けられている。ばねの両脚はそれぞれ両ペンチ柄２１、ペンチ柄２２の内側に当て付けられる。ポンチペンチはサイズ及び機能の違う数個のポンチヘッドと組み合わせる。そのポンチヘッドは例えば図６Ａ、図６Ｂ、図７Ａ、図７Ｂに示すように受け３０１、板孔打ちヘッド３０２、止め打ち塊３０３、止め打ちホルダー３０４である。そのポンチペンチには快速取り外し構造があり、快速取り外し構造は次のものを含む。
【００１１】
　弾性スナップ４０は、図３Ａ、図５Ｂに示すように、それは金属の細い線を一体に折り曲げてなり、折り曲げ部の近くには細線が互いに平行する固定部４１が形成され、その固定部４１から延続して細線は逆に外へ拡張した嵌付部４２が設けられ、その嵌付部４２を更に延続して垂直に延伸する制御部４３が設けられ、その制御部４３は円頭状に曲げられた末端４３１を有する。
【００１２】
　スナップ孔５０は図３Ａに示すように、ペンチの先端部に設けられ、弾性スナップ４０はそれの固定部４１をもって固定部材４４がスナップ孔５０を通してペンチ先端の裏面での固定に供される。制御部４３はペンチ先端部の開放端に延伸し、かつそれの末端４３１は先端部から突き出している。
【００１３】
　ポンチヘッド孔６０は図３Ａに示すように、ペンチの先端部の弾性スナップ４０の嵌付部４２と対応する位置に設けられている。
　ポンチヘッドは、例えば図６Ａ、図６Ｂ、図７Ａ、図７Ｂに示す受け板３０１、孔打ちヘッド３０２、止め打ち塊３０３、止め打ちホルダー３０４で、それには加工部３１及び固定部３２が設けられている。固定部３２の径は加工部３１より小さくされて境界にはストッパー面３３が形成され、スナップ溝３４が設けられ、開放端の周縁は斜面状のにげ３４１が設けられている。
【００１４】
　図４に示すようにポンチヘッドはペンチ先端部の相対面から固定部３２によってポンチヘッド孔６０の中に装入し、弾性スナップ４０は嵌付部４２によってスナップ溝３４の中に嵌め付け、これによってポンチヘッドをペンチ先端部に固定する。ポンチヘッドを緩める場合は指を弾性スナップ４０の末端４３１に当てて、少々力を入れて制御部４３を開け、嵌付部４２の外側は開いてポンチヘッドのスナップ溝３４から緩み、ポンチヘッドを外すことができる。
【００１５】
　図８、図９Ａ、図９Ｂに示すように、緩める場合は指で弾性スナップ４０の末端４３１をつまめば、同じく嵌付部４２を開いてポンチヘッドのスナップ溝３４を緩めることができる。
　図３Ａ、図３Ｂに示すように、本実施例のポンチペンチには更にペンチを併合定位置させるフック構造が設けられ、そのフック構造はU形フック７１が含まれ、それの開放する両フック脚７２は可動的にペンチ柄の小孔７６に枢入され、別のペンチ柄の相対位置には壁勾７３が設けられ、U形フック７１の閉鎖端７４はそれに掛けられる。逆に、閉鎖端７４を壁勾７３から離脱させればペンチは弾性的に開き、U形フック７１を上へ押さえて一つの突起７５を越せば第五B図の如く、U形フック７１の垂れ下げ動揺が避けられる。
【００１６】
　本実施例は快速取り外し構造を利用し、ポンチペンチのポンチヘッドの交換をより簡単容易、迅速にし、ポンチヘッドは安定して弾性スナップ４０の中に固定され、ペンチでポンチ打ちまたは止め打ち加工を行う場合、ペンチの相対して挟み付ける力はポンチヘッドのストッパーをより安定にペンチ先端部の壁面に当て付けて安定した支持が得られ、ポンチヘッドは安定してポンチ打ちまたは止め打ちの動作を行い、瑕疵または失敗する可能性を大幅に減少することが可能である。
【図面の簡単な説明】
【００１７】
【図１】伝統的ポンチペンチと止め打ち塊、止め打ちホルダーを示す立体分解図である。
【図２】伝統的ポンチペンチと孔打ちヘッド、受け板の組合せを示す外観図である。
【図３Ａ】本考案の第一実施例によるポンチペンチの快速取り外し構造を示す立体分解図である。
【図３Ｂ】図３Ａを使用した組合せ外観図である。
【図４】図３Ｂの矢印４方向の側面図である。
【図５Ａ】図３Ｂ中の５A・５A断面による局部断面図である。
【図５Ｂ】図５Ａの作動意表図である。
【図６Ａ】本実施例中のポンチヘッド受け板を示す側面図である。
【図６Ｂ】本実施例中のポンチヘッド孔打ちヘッドを示す側面図である。
【図７Ａ】本実施例中のポンチヘッド止め打ち塊を示す側面図である。
【図７Ｂ】本実施例中のポンチヘッド止め打ちホルダーを示す側面図である。
【図８】本考案の第に実施例によるポンチペンチの快速取り外し構造を示す立体分解図である。
【図９Ａ】図８の矢印９Ａ方向の側面図である。
【図９Ｂ】図９Ａの作動意表図である。
【符号の説明】
【００１８】
　２１　ペンチ柄、２２　ペンチ柄、２３　枢軸、２４　ねじりばね、３１　加工部、３２　固定部、３３　ストッパー面、３４　スナップ溝、４０　弾性スナップ、４１　固定部、４２　嵌付部、４４　固定部材、５０　スナップ孔、６０　ポンチヘッド孔、７１　Ｕ形フック、７２　フック脚、７３　壁勾、７４　閉鎖端、７５起、７６　小孔７６、３０１　孔打ちヘッド、３０２　受け板、３０３　止め打ち塊、３０４　止め打ちホルダー、３４１　にげ、４３１　末端、
【図１】
0003100225.tif 000003
【図２】
0003100225.tif 000004
【図３Ａ】
0003100225.tif 000005
【図３Ｂ】
0003100225.tif 000006
【図４】
0003100225.tif 000007
【図５Ａ】
0003100225.tif 000008
【図５Ｂ】
0003100225.tif 000009
【図６Ａ】
0003100225.tif 000010
【図６Ｂ】
0003100225.tif 000011
【図７Ａ】
0003100225.tif 000012
【図７Ｂ】
0003100225.tif 000013
【図８】
0003100225.tif 000014
【図９Ａ】
0003100225.tif 000015
【図９Ｂ】
0003100225.tif 000016